(57)【要約】      （修正有）【課題】ライフラインが切断しても使用可能な非常時用水洗トイレを提供する。【解決手段】仕切り壁２３によって分けられたトイレ室２１とポンプ室２２を有する本体２０と、前記トイレ室２１を覆うための容器型蓋２８と、前記ポンプ室２２を覆うための平蓋と、前記トイレ室２１に設けられた水洗用便器１０と、前記ポンプ室２２に設けられた汚水用圧送ポンプと、前記水洗用便器１０と前記汚水用圧送ポンプを接続する接続管１２と、を有し、収納時には、所定の備品を前記トイレ室２１と前記ポンプ室２２の一方に収納し、前記ポンプ室２２を前記平蓋で覆い、前記トイレ室１０を前記容器型蓋２８で覆い、使用時には、前記平蓋及び前記容器型蓋２８を取り除き、前記水洗用便器１０を使用した後に、前記水洗用便器１０に水を投入し、前記汚水用圧送ポンプによって、前記水洗用便器内の汚水を外部に排出するように構成されている。【選択図】図１
0003177786.tif 000002
【実用新案登録請求の範囲】
【請求項１】
仕切り壁によって分けられたトイレ室とポンプ室を有する本体と、前記トイレ室を覆うための容器型蓋と、前記ポンプ室を覆うための平蓋と、前記トイレ室に設けられた水洗用便器と、前記ポンプ室に設けられた汚水用圧送ポンプと、前記水洗用便器と前記汚水用圧送ポンプを接続する接続管と、を有し、
収納時には、所定の備品を前記トイレ室と前記ポンプ室の一方に収納し、前記ポンプ室を前記平蓋で覆い、前記トイレ室を前記容器型蓋で覆い、
使用時には、前記平蓋及び前記容器型蓋を取り除き、前記水洗用便器を使用した後に、前記水洗用便器に水を投入し、前記汚水用圧送ポンプによって、前記水洗用便器内の汚水を外部に排出するように構成されている非常時用水洗トイレ。
【請求項２】
請求項１に記載の非常時用水洗トイレにおいて、
更に、前記所定の備品は、前記汚水用圧送ポンプに電力を供給するためのポータブル発電機と、前記ポータブル発電機から電力を供給されることができる水中ポンプを含み、前記水洗用便器を使用した後に、前記水洗用便器に前記水中ポンプによって水源から汲み出された水を投入することができることを特徴とする非常時用水洗トイレ。
【請求項３】
請求項２に記載の非常時用水洗トイレにおいて、
前記容器型蓋の内面に防水ゴムが貼られており、前記容器型蓋は前記水中ポンプによって汲み上げた水を貯蔵するための容器として機能することを特徴とする非常時用水洗トイレ。
【請求項４】
請求項１に記載の非常時用水洗トイレにおいて、
前記所定の備品は、ポータブル水洗トイレ用テントを含み、使用時には、該ポータブル水洗トイレ用テントによって前記トイレ室を覆うことを特徴とする非常時用水洗トイレ。
【請求項５】
請求項１に記載の非常時用水洗トイレにおいて、
前記本体の下面には、キャスタとアジャスタ付きストッパが設けられていることを特徴とする非常時用水洗トイレ。
【考案の詳細な説明】
【技術分野】
【０００１】
本考案は、地震等の災害時に集合住宅等にて利用するための非常時用水洗トイレに関する。
【背景技術】
【０００２】
地震等の災害時には、ガス、水道、電気等のライフラインが切断され、水洗トイレを使用することができなくなる。そこで非常時用の水洗トイレがあると便利である。しかしながら、非常時用水洗トイレを各家庭が個人的に用意することは経済的に困難であるし、それを設置する場所が無い。
【考案の概要】
【考案が解決しようとする課題】
【０００３】
集合住宅の場合には、非常時用水洗トイレを用意することは経済的にも場所的にも可能である。
【０００４】
本考案の目的は、ライフラインが切断しても使用可能な非常時用水洗トイレを提供することにある。
【課題を解決するための手段】
【０００５】
そこで、本考案によると、非常時用水洗トイレは、仕切り壁によって分けられたトイレ室とポンプ室を有する本体と、前記トイレ室を覆うための容器型蓋と、前記ポンプ室を覆うための平蓋と、前記トイレ室に設けられた水洗用便器と、前記ポンプ室に設けられた汚水用圧送ポンプと、前記水洗用便器と前記汚水用圧送ポンプを接続する接続管と、を有する。
【０００６】
収納時には、所定の備品を前記トイレ室と前記ポンプ室の一方に収納し、前記ポンプ室を前記平蓋で覆い、前記トイレ室を前記容器型蓋で覆い、
使用時には、前記平蓋及び前記容器型蓋を取り除き、前記水洗用便器を使用した後に、前記水洗用便器に水を投入し、前記汚水用圧送ポンプによって、前記水洗用便器内の汚水を外部に排出するように構成されている。
【０００７】
本考案の実施形態によると、前記所定の備品は、前記汚水用圧送ポンプに電力を供給するためのポータブル発電機と、前記ポータブル発電機から電力を供給されることができる水中ポンプを含み、前記水洗用便器を使用した後に、前記水洗用便器に前記水中ポンプによって水源から汲み出された水を投入することができる。
【０００８】
本考案の実施形態によると、前記容器型蓋の内面に防水ゴムが貼られており、前記容器型蓋は前記水中ポンプによって汲み上げた水を貯蔵するための容器として機能してよい。
【０００９】
本考案の実施形態によると、前記所定の備品は、ポータブル水洗トイレ用テントを含み、使用時には、該ポータブル水洗トイレ用テントによって前記トイレ室を覆ってよい。
【００１０】
本考案の実施形態によると、前記本体の下面には、キャスタとアジャスタ付きストッパが設けられてよい。
【考案の効果】
【００１１】
本考案によれば、ライフラインが切断しても使用可能な非常時用水洗トイレを提供することができる。
【図面の簡単な説明】
【００１２】
【図１】図１は、本考案に係る非常時用水洗トイレの使用するときの状況を説明する図である。
【図２】図２は、本考案に係る非常時用水洗トイレを使用しないときの収納状態を説明する図である。
【図３】図３は、非常時用水洗トイレを使用中の外観を示す図である。
【図４】図４は、本考案に係る非常時用水洗トイレの他の形態を説明する図である。
【図５】図５は、本考案に係る非常時用水洗トイレの更に他の形態を説明する図である。
【考案を実施するための形態】
【００１３】
図１は、本考案に係る非常時用水洗トイレを使用するときの状況を示す図である。本考案の実施形態によると、非常時用水洗トイレは、本体２０、水洗用便器１０、及び、汚水用圧送ポンプ１１を有する。本体２０は、仕切り壁２３によって、トイレ室２１とポンプ室２２に分かれている。トイレ室２１には手摺２５が設けられている。本体２０の下面にはキャスタ２６が設けられている。
【００１４】
トイレ室２１に水洗用便器１０が設置され、ポンプ室２２に汚水用圧送ポンプ１１が設置されている。両者は接続管１２によって接続されている。汚水用圧送ポンプ１１内には回転式粉砕カッターが設けられており、トイレットペーパや汚物を粉砕する。
【００１５】
非常時用水洗トイレは、更に、様々な備品を備える。備品として、例えば、ポータブル発電機１５、電源ケーブル１５２、電源タップ１５３、水中ポンプ１７、ホース１７１、ポータブル水洗トイレ用テント３１、バケツ３２、照明装置３３、トイレットペーパ、雑巾、便器周り掃除器具、取扱説明書、禁止事項記載シール、スプレー式アルコール消毒液、等がある。
【００１６】
ポータブル発電機１５として、カセットボンベ式発電機を備えてよい。その場合には、備品として、カセット式プロパンガスボンベ１５１が必要となる。集団住宅等において非常用発電機が備えられており、且つ、それが利用可能な場合には、ポータブル発電機１５を備えなくてもよい。
【００１７】
これらの備品は、非使用時には、本体２０内に収納可能であるが、使用時には、本体２０外に自由に持ち運び可能である。
【００１８】
水洗用便器１０、汚水用圧送ポンプ１１、ポータブル発電機１５、及び、水中ポンプ１７は、市販品を用いてよい。本実施形態では、次のような市販品を用いた。
【００１９】
汚水用圧送ポンプ：製品名「サニラックス(SANILUX)(登録商標)」(フランスＳＦＡ社製)
ポータブル発電機：ＥＵ９ｉＧＢ型カセットボンベ式発電機(株式会社ホンダ製)
水中ポンプ：ＣＳＬ−１００Ｌ型小型水中ポンプ(寺田ポンプ製作所製)
収納バック付きポータブル水洗トイレ用テント：PST-15T型テント
次に、非常時用水洗トイレの使用方法を説明する。先ず、水中ポンプ１７を近くの川、池、湖等の水源１８に投入する。水中ポンプ１７は、底部に吸水部が設けられている。水中ポンプ１７は、少なくともその下部が水に浸かっている状態のとき、水をくみ上げる。水中ポンプ１７によって汲み上げた水は、容器型蓋２８又はバケツ３２に貯蔵される。トイレの使用中は、トイレ室２１をポータブル水洗トイレ用テント３１によって覆う。夜間等の周囲が暗いときは、照明装置３３を点灯する。
【００２０】
トイレの使用後に、バケツ３２によって水を運び、水洗用便器１０内に投入する。水洗用便器１０からの汚水は、汚水用圧送ポンプ１１によって汲み出され、汚水用圧送ポンプ１１に接続された汚水排水ホース１１１を経由して、近辺の排水溝１３に排出される。汚水排水ホース１１１の管径は２０ｍｍ程度である。汚水用圧送ポンプ１１によって、垂直距離４ｍ、水平距離８０ｍの地点に排水可能である。
【００２１】
水中ポンプ１７、汚水用圧送ポンプ１３及び照明装置３３には、ポータブル発電機１５からの電力が供給される。ポータブル発電機１５は、家庭用のカセット式プロパンガスボンベ１５１を接続するように構成されている。発電機１５には電源ケーブル１５２及び電源タップ１５３が接続されている。
【００２２】
図２は、本考案に係る非常時用水洗トイレの収納状況を示す図である。本体２０は、トイレ室２１とポンプ室２２に分かれている。両者の間に仕切り壁２３が設けられている。トイレ室２１に水洗用便器１０が設置され、ポンプ室２２に汚水用圧送ポンプ１１が設置されている。両者は接続管１２によって接続されている。
【００２３】
上述のように非常時用水洗トイレは様々な備品を備える。これらの備品は、トイレ室２１とポンプ室２２の何れかに収納される。例えば、ポンプ室２２に、発電機１５、及び、水中ポンプ１７を収納してよい。ポータブル水洗トイレ用テント３１、バケツ３２、照明装置３３、トイレットペーパ３４等は、ポンプ室２２とトイレ室２１のいずれかに収納してよい。本体２０の下面には、キャスタ２６とアジャスタ付きストッパ２７が設けられている。
【００２４】
本考案に係る非常時用水洗トイレには、容器型蓋２８と平蓋２９が備えられている。容器型蓋２８は、トイレ室２１を覆うように構成されている。容器型蓋２８の内面には、防水ゴム２８１が貼られている。容器型蓋２８は、トイレ室２１を覆う蓋として機能するが、水を貯蔵する容器としても機能する。図１を参照して説明したように、水中ポンプ１７によって汲み上げた水は、容器型蓋２８に貯蔵することができる。平蓋２９はポンプ室２２を覆うように構成されている。こうして、非常時用水洗トイレを使用しないときには、容器型蓋２８と平蓋２９を覆うことによって、集合住宅の倉庫、建物等の外側の外部空間に配置することができる。本考案に係る非常時用水洗トイレは、集合住宅の各階、又は、各建物に設置してもよい。
【００２５】
図３は、本考案に係る非常時用水洗トイレの使用中に、収納バック付きポータブル水洗トイレ用テント３１を広げた状態を示す。ポータブル水洗トイレ用テント３１は、収納バックに収納されている。使用時には、それを広げ組み立てる。ポータブル水洗トイレ用テント３１は、明かりとり用の透明な窓が設けられている。夜間では、照明装置３３を使用してよい。ここでは、市販のポータブル水洗トイレ用テント３１を使用したが、市販の着替え用テントを使用してもよい。
【００２６】
図４は、本考案に係る非常時用水洗トイレの他の実施形態を示す図である。本実施形態では、和式の水洗用便器１０を使用する。本体２０は、和式の水洗用便器１０の形状に適合するように形成されている。
【００２７】
図５は、本考案に係る非常時用水洗トイレの他の実施形態を示す図である。本実施形態では、「両用便器」「列車式便所」ないし「汽車便」と呼ばれる水洗用便器１０を使用する。
【００２８】
以上により、非常時用水洗トイレの実施形態を説明したが、本考案はこれに限定されない。本考案は、本実施形態に対して当業者が容易になし得る追加、削除、変更、改良等を含むものである。本考案の技術的範囲は、添付の実用新案登録請求の範囲の記載によって定められる。
【符号の説明】
【００２９】
１０…水洗用便器、  １１…汚水用圧送ポンプ、  １２…接続管、  １３…排水溝、  １５…ポータブル発電機、  １７…水中ポンプ、  １８…水源、  ２０…本体、  ２１…トイレ室、  ２２…ポンプ室、  ２３…仕切り壁、  ２５…手摺、  ２６…キャスタ、  ２７…アジャスタ付きストッパ、  ２８…容器型蓋、  ２９…平蓋、  ３１…ポータブル水洗トイレ用テント、  ３２…バケツ、  ３３…照明装置、  ３４…トイレットペーパ、  １１１…汚水排出ホース、  １１２…電源ケーブル、  １５１…カセット式プロパンガスボンベ、  １５２…電源ケーブル、  １５３…電源タップ、  １７１…ホース、  １７２…電源ケーブル、  ２８１…防水ゴム
【図１】
0003177786.tif 000003
【図２】
0003177786.tif 000004
【図３】
0003177786.tif 000005
【図４】
0003177786.tif 000006
【図５】
0003177786.tif 000007